(57)【要約】【課題】感光ドラムを有するドラムカートリッジと、現像ローラを有する現像カートリッジとを個別に交換できる画像形成装置を提供する。【解決手段】  画像形成装置１は、ドラムカートリッジ７を支持する第１ドロワ５と、現像カートリッジ９を支持する第２ドロワ６と、ロック部材３３Ａ、３３Ｂと、ロック解除部材５２とを備える。ロック部材３３Ａ、３３Ｂは、第１ドロワ５と第２ドロワ６とをロックする。ロック解除部材５２は、ロック部材３３Ａ、３３Ｂによる第１ドロワ５と第２ドロワ６とのロックを解除する。第１ドロワ５と第２ドロワ６とのロックが解除された状態で、第２ドロワ６は、第１ドロワ５から分離して引き出される。また、第１ドロワ５と第２ドロワ６とがロックされた状態で、第１ドロワ５は、第２ドロワ６とともに引き出される。【選択図】図１３
2020046644.tif 000002
【特許請求の範囲】
【請求項１】
開口を有する筐体と、
前記開口を閉じる閉位置と前記開口が開く開位置との間を移動可能なカバーと、
感光ドラムを有するドラムカートリッジと、
現像ローラを有する現像カートリッジと、
前記ドラムカートリッジを支持する第１ドロワであって、前記ドラムカートリッジが画像形成装置に装着される第１装着位置と、前記ドラムカートリッジが取り外し可能となる第１離脱位置との間を、第１方向に移動可能な第１ドロワと、
前記現像カートリッジを支持する第２ドロワであって、前記現像カートリッジが画像形成装置に装着される第２装着位置と、前記現像カートリッジが取り外し可能となる第２離脱位置との間を、前記第１方向に移動可能な第２ドロワであって、前記第２装着位置に位置する状態で、前記第１方向において、前記第１装着位置に位置する前記第１ドロワと前記閉位置に位置する前記カバーとの間に位置する第２ドロワと、
前記第１ドロワと前記第２ドロワとをロックするロック位置と、前記第１ドロワと前記第２ドロワとのロックが解除されるロック解除位置との間を移動可能なロック部材と、
前記ロック位置に位置する前記ロック部材を前記ロック解除位置に移動させるためのロック解除部材と
を備えることを特徴とする、画像形成装置。
【請求項２】
前記第１ドロワは、前記第１ドロワと前記第２ドロワとがロックされた状態で、前記第１装着位置と前記第１離脱位置との間を移動可能であることを特徴とする、請求項１に記載の画像形成装置。
【請求項３】
前記第１ドロワは、前記筐体内において、前記第１装着位置と前記第１離脱位置との間を移動し、
前記第２ドロワは、前記筐体内に位置する前記第２装着位置と、少なくとも一部が前記筐体外に位置する第２離脱位置との間を、前記開口を通って移動することを特徴とする、請求項１または請求項２に記載の画像形成装置。
【請求項４】
前記第２ドロワは、前記ロック解除部材から離れた位置において、第１グリップを有することを特徴とする、請求項１から請求項３のいずれか一項に記載の画像形成装置。
【請求項５】
前記ドラムカートリッジは、前記現像ローラを前記感光ドラムに向かってガイドするガイドを有することを特徴とする、請求項１から請求項４のいずれか一項に記載の画像形成装置。
【請求項６】
前記ドラムカートリッジは、さらに、前記感光ドラムの周面をクリーニングするドラムクリーナーと、前記ドラムクリーナーによって前記感光ドラムの周面から取り除かれた廃トナーを搬送するための廃トナー搬送管と、を備え、
前記現像カートリッジは、さらに、前記廃トナーを収容するように構成される廃トナー収容器を備え、
前記廃トナー搬送管は、前記ドラムカートリッジを支持した前記第１ドロワと、前記現像カートリッジを支持した前記第２ドロワとがロックされた状態で、前記廃トナー収容器に接続されることを特徴とする、請求項１から請求項５のいずれか一項に記載の画像形成装置。
【請求項７】
前記現像カートリッジは、さらに、前記感光ドラムに供給されるトナーを収容するように構成されるトナー収容器を備え、
前記廃トナー収容器は、前記トナー収容器に対して揺動可能であることを特徴とする、請求項６に記載の画像形成装置。
【請求項８】
前記ロック解除部材は、
前記ロック部材が前記ロック位置に位置することを許容する第１位置と、前記ロック部材を前記ロック解除位置に位置させる第２位置との間で移動可能なカムと、
前記カムを前記第１位置と前記第２位置との間で移動させる操作のための操作部を有する第２グリップと
を有することを特徴とする、請求項１から請求項７のいずれか一項に記載の画像形成装置。
【請求項９】
前記第２ドロワは、前記ロック部材を備え、
前記現像カートリッジは、前記ロック解除部材を備え、
前記ロック解除部材は、
前記カムが前記第１位置に位置した状態で、前記現像カートリッジに対して固定されており、
前記カムが前記第２位置に位置した状態で、前記現像カートリッジに対して回動可能となることを特徴とする、請求項８に記載の画像形成装置。
【請求項１０】
前記第１ドロワは、第１被ガイド部を備え、
前記第２ドロワは、第２被ガイド部を備え、
前記画像形成装置は、さらに、
前記第１ドロワの前記第１被ガイド部と前記第２ドロワの前記第２被ガイド部との両方をガイドし、前記第１方向に延びる本体ガイドを備えることを特徴とする、請求項１から請求項９のいずれか一項に記載の画像形成装置。
【請求項１１】
前記第１ドロワが前記第１装着位置に位置し、前記第２ドロワが前記第２装着位置に位置した状態で、前記第２ドロワの前記第２被ガイド部と、前記閉位置に位置する前記カバーとの前記第１方向における距離は、前記第１ドロワの前記第１被ガイド部と、前記閉位置に位置する前記カバーとの前記第１方向における距離よりも短いことを特徴とする、請求項１０に記載の画像形成装置。
【請求項１２】
前記第１ドロワの前記第１被ガイド部、および、前記第２ドロワの前記第２被ガイド部は、前記感光ドラムの軸が延びる軸方向に突出するボスであり、
前記本体ガイドは、前記軸方向に凹む溝であることを特徴とする、請求項１０または請求項１１に記載の画像形成装置。
【請求項１３】
前記第１ドロワは、前記ドラムカートリッジが前記第１ドロワに装着された状態で前記感光ドラムの端部が嵌まる切欠きを有することを特徴とする、請求項１から請求項１２のいずれか一項に記載の画像形成装置。
【請求項１４】
前記第１ドロワが前記第１離脱位置に配置されている状態で、前記ドラムカートリッジは、上方に向けて離脱可能であり、
前記ドラムカートリッジは、さらに、
前記ドラムカートリッジを支持した前記第１ドロワと、前記現像カートリッジを支持した前記第２ドロワとがロックされた状態で、前記現像カートリッジの上方に位置する第３グリップを備えることを特徴とする、請求項１から請求項１３のいずれか一項に記載の画像形成装置。
【発明の詳細な説明】
【技術分野】
【０００１】
本開示は、画像形成装置に関する。
【背景技術】
【０００２】
従来、カートリッジと、カートリッジを支持するドロワとを備える画像形成装置が知られている。カートリッジは、感光ドラムと、現像ローラを有する現像ユニットとを備える。ドロワは、カートリッジが画像形成装置に装着される装着位置と、カートリッジが取り外し可能となる離脱位置との間を移動可能である（下記特許文献１参照）。
【先行技術文献】
【特許文献】
【０００３】
【特許文献１】特開２０１６−８１０３４号公報
【発明の概要】
【発明が解決しようとする課題】
【０００４】
特許文献１に記載の画像形成装置において、感光ドラムと現像ユニットとを個別に交換したいという要望がある。
【０００５】
そこで、本開示の目的は、感光ドラムを有するドラムカートリッジと、現像ローラを有する現像カートリッジとを個別に交換できる画像形成装置を提供することにある。
【課題を解決するための手段】
【０００６】
（１）本開示の画像形成装置は、筐体と、カバーと、ドラムカートリッジと、現像カートリッジと、第１ドロワと、第２ドロワと、ロック部材と、ロック解除部材とを備える。
【０００７】
筐体は、開口を有する。カバーは、閉位置と開位置との間を移動可能である。カバーが閉位置に位置する場合、カバーは、開口を閉じる。カバーが開位置に位置する場合、開口は、開く。ドラムカートリッジは、感光ドラムを有する。現像カートリッジは、現像ローラを有する。
【０００８】
第１ドロワは、ドラムカートリッジを支持する。第１ドロワは、第１装着位置と第１離脱位置との間を、第１方向に移動可能である。第１ドロワが第１装着位置に位置する場合、ドラムカートリッジは、画像形成装置に装着される。第１ドロワが第１離脱位置に位置する場合、ドラムカートリッジは、取り外し可能となる。
【０００９】
第２ドロワは、現像カートリッジを支持する。第２ドロワは、第２装着位置と第２離脱位置との間を、第１方向に移動可能である。第２ドロワが第２装着位置に位置する場合、現像カートリッジは、画像形成装置に装着される。第２ドロワが第２離脱位置に位置する場合、現像カートリッジは、取り外し可能となる。第２ドロワは、第２装着位置に位置する状態で、第１方向において、第１装着位置に位置する第１ドロワと、閉位置に位置するカバーとの間に位置する。
【００１０】
ロック部材は、ロック位置とロック解除位置との間を移動可能である。ロック部材がロック位置に位置する場合、ロック部材は、第１ドロワと第２ドロワとをロックする。ロック部材がロック解除位置に位置する場合、第１ドロワと第２ドロワとのロックが解除される。
【００１１】
ロック解除部材は、ロック位置に位置するロック部材をロック解除位置に移動させる。
【００１２】
このような構成によれば、ユーザーは、ロック部材をロック解除位置に位置させて、第１ドロワと第２ドロワとのロックを解除することにより、第２ドロワを、第１ドロワから分離して、第２離脱位置に位置させることができる。
【００１３】
これにより、ユーザーは、ドラムカートリッジを交換しないで、現像カートリッジを交換することができる。つまり、ドラムカートリッジと現像カートリッジとを個別に交換できる。
【００１４】
また、現像カートリッジが大容量化された場合でも、ユーザーは、現像カートリッジを第２ドロワから持ち上げるだけで交換することができる。そのため、現像カートリッジを交換する際、第１装着位置に位置する第１ドロワに支持されたドラムカートリッジが、現像カートリッジの交換作業の邪魔にならない。
【００１５】
また、ユーザーは、ロック部材をロック位置に位置させて、第１ドロワと第２ドロワとをロックすることにより、第２ドロワを第２離脱位置に位置させるとともに、第１ドロワを第１離脱位置に位置させることができる。
【００１６】
これにより、ユーザーは、ドラムカートリッジおよび現像カートリッジの両方を交換することもできる。
【００１７】
（２）第１ドロワは、第１ドロワと第２ドロワとがロックされた状態で、第１装着位置と第１離脱位置との間を移動可能であってもよい。
【００１８】
（３）第１ドロワは、筐体内において、第１装着位置と第１離脱位置との間を移動してもよい。第２ドロワは、第２装着位置と第２離脱位置との間を、開口を通って移動してもよい。第２ドロワが第２装着位置に位置する場合、第２ドロワは、筐体内に位置する。第２ドロワが第２離脱位置に位置する場合、第２ドロワの少なくとも一部は、筐体外に位置する。
【００１９】
（４）第２ドロワは、ロック解除部材から離れた位置において、第１グリップを有してもよい。
【００２０】
（５）ドラムカートリッジは、ガイドを有してもよい。ガイドは、現像ローラを感光ドラムに向かってガイドする。
【００２１】
（６）ドラムカートリッジは、ドラムクリーナーと廃トナー搬送管とを備えてもよい。ドラムクリーナーは、感光ドラムの周面をクリーニングする。廃トナー搬送管は、ドラムクリーナーによって感光ドラムの周面から取り除かれた廃トナーを搬送するために用いられる。現像カートリッジは、廃トナー収容器を備えてもよい。廃トナー収容器は、廃トナーを収容するように構成される。廃トナー搬送管は、ドラムカートリッジを支持した第１ドロワと、現像カートリッジを支持した第２ドロワとがロックされた状態で、廃トナー収容器に接続される。
【００２２】
（７）現像カートリッジは、トナー収容器を備えてもよい。トナー収容器は、感光ドラムに供給されるトナーを収容するように構成される。廃トナー収容器は、トナー収容器に対して揺動可能である。
【００２３】
（８）ロック解除部材は、カムと第２グリップとを有してもよい。カムは、第１位置と第２位置との間で移動可能である。カムが第１位置に位置する場合、カムは、ロック部材がロック位置に位置することを許容する。カムが第２位置に位置する場合、カムは、ロック部材をロック解除位置に位置させる。第２グリップは、操作部を有する。操作部は、カムを第１位置と第２位置との間で移動させる操作に用いられる。
【００２４】
（９）第２ドロワは、ロック部材を備えてもよい。現像カートリッジは、ロック解除部材を備えてもよい。この場合、ロック解除部材は、カムが第１位置に位置した状態で、現像カートリッジに対して固定されていてもよい。ロック解除部材は、カムが第２位置に位置した状態で、現像カートリッジに対して回動可能となってもよい。
【００２５】
（１０）第１ドロワは、第１被ガイド部を備えてもよい。第２ドロワは、第２被ガイド部を備えてもよい。画像形成装置は、本体ガイドを備えてもよい。本体ガイドは、第１ドロワの第１被ガイド部と第２ドロワの第２被ガイド部との両方をガイドする。本体ガイドは、第１方向に延びる。
【００２６】
（１１）第１ドロワが第１装着位置に位置し、第２ドロワが第２装着位置に位置した状態で、第２ドロワの第２被ガイド部と、閉位置に位置するカバーとの第１方向における距離は、第１ドロワの第１被ガイド部と、閉位置に位置するカバーとの第１方向における距離よりも短い。
【００２７】
（１２）第１ドロワの第１被ガイド部、および、第２ドロワの第２被ガイド部は、ボスであってもよい。第１ドロワの第１被ガイド部、および、第２ドロワの第２被ガイド部は、軸方向に突出する。軸方向は、感光ドラムの軸が延びる方向である。本体ガイドは、溝であってもよい。本体ガイドは、軸方向に凹む。
【００２８】
（１３）第１ドロワは、切欠きを有してもよい。切欠きには、ドラムカートリッジが第１ドロワに装着された状態で感光ドラムの端部が嵌まる。
【００２９】
（１４）第１ドロワが第１離脱位置に配置されている状態で、ドラムカートリッジは、上方に向けて離脱可能であってもよい。ドラムカートリッジは、さらに、第３グリップを備えてもよい。第３グリップは、ドラムカートリッジを支持した第１ドロワと、現像カートリッジを支持した第２ドロワとがロックされた状態で、現像カートリッジの上方に位置する。
【発明の効果】
【００３０】
本開示の画像形成装置によれば、感光ドラムを有するドラムカートリッジと、現像ローラを有する現像カートリッジとを個別に交換できる。
【図面の簡単な説明】
【００３１】
【図１】図１は、画像形成装置の概略構成図である。
【図２】図２は、図１に示す第１ドロワが第１離脱位置に位置し、第２ドロワが第２離脱位置に位置した状態を示す。
【図３】図３は、第１ドロワの平面図である。
【図４】図４は、図３に示す第１ドロワのＡ−Ａ断面図である。
【図５】図５は、第２ドロワの平面図である。
【図６】図６は、図５に示す第２ドロワのＢ−Ｂ断面図である。
【図７】図７は、第１ドロワと第２ドロワとがロックされた状態の、第１ドロワおよび第２ドロワの平面図である。
【図８】図８は、ドラムカートリッジの平面図である。
【図９】図９Ａは、図８に示すドラムカートリッジのＣ−Ｃ断面図である。図９Ｂは、図８に示すドラムカートリッジのＤ−Ｄ断面図である。
【図１０】図１０は、現像カートリッジの断面図である。
【図１１】図１１は、図１０に示す廃トナー収容器およびロック解除部材の平面図である。
【図１２】図１２Ａは、ロック解除部材を詳しく説明するための説明図であって、操作部が離間位置に位置し、カムが第１位置に位置し、ロック部材がロック位置に位置した状態を示す。図１２Ｂは、図１２Ａとともにロック解除部材を詳しく説明するための説明図であって、操作部が近接位置に位置し、カムが第２位置に位置し、ロック部材がロック解除位置に位置した状態を示す。
【図１３】図１３は、ユーザーがドラムカートリッジを交換しないで現像カートリッジを交換する作業を説明する説明図であって、ドラムカートリッジを支持した第１ドロワが第１装着位置に位置し、現像カートリッジを支持した第２ドロワが第２離脱位置に位置した状態を示す。
【図１４】図１４は、図１３に続いて、ユーザーがドラムカートリッジを交換しないで現像カートリッジを交換する作業を説明する説明図であって、現像カートリッジが第２ドロワから離脱された状態を示す。
【図１５】図１５は、第１ドロワおよび第２ドロワの変形例を示す平面図である。
【図１６】図１６Ａは、図１５に示すロック解除部材を詳しく説明するための説明図であって、操作部が離間位置に位置し、カムが第１位置に位置し、ロック部材がロック位置に位置した状態を示す。図１６Ｂは、図１６Ａとともにロック解除部材を詳しく説明するための説明図であって、操作部が近接位置に位置し、カムが第２位置に位置し、ロック部材がロック解除位置に位置した状態を示す。
【発明を実施するための形態】
【００３２】
１．画像形成装置１の概略
図１および図２を参照して、画像形成装置１の概略について説明する。
【００３３】
図１に示すように、画像形成装置１は、筐体２と、カバー３と、給紙部４と、第１ドロワ５と、第２ドロワ６と、ドラムカートリッジ７と、露光装置８と、現像カートリッジ９と、転写ローラ１０と、定着装置１１とを備える。なお、画像形成装置１は、単色印刷専用の画像形成装置である。そのため、画像形成装置１は、１つのドラムカートリッジ７と、１つの現像カートリッジ９とを備える。
【００３４】
１．１  筐体２およびカバー３
筐体２は、給紙部４と、第１ドロワ５と、第２ドロワ６と、ドラムカートリッジ７と、露光装置８と、現像カートリッジ９と、転写ローラ１０と、定着装置１１とを収容する。筐体２は、開口２Ａを有する。
【００３５】
カバー３は、筐体２に取り付けられる。カバー３は、閉位置（図１参照）と開位置（図２参照）との間を移動可能である。カバー３が閉位置に位置する場合、カバー３は、開口２Ａを閉じる。カバー３が開位置に位置する場合、開口２Ａは、開く。
【００３６】
１．２  給紙部４
給紙部４は、給紙カセット１８と、ピックアップローラ１２と、給紙ローラ１３とを備える。給紙カセット１８は、シートＳを収容する。ピックアップローラ１２は、給紙カセット１８内のシートＳを給紙ローラ１３に向かって搬送する。給紙ローラ１３は、ピックアップローラ１２からのシートＳを転写ローラ１０に向かって搬送する。
【００３７】
１．３  第１ドロワ５
第１ドロワ５は、ドラムカートリッジ７を支持する。第１ドロワ５は、第１装着位置（図１参照）と第１離脱位置（図２参照）との間を、第１方向に移動可能である。第１方向は、上下方向と交差する。第１ドロワ５は、筐体２内において、第１装着位置と第１離脱位置との間を移動する。なお、後で詳しく説明するが、第１ドロワ５は、第１ドロワ５と第２ドロワ６とがロックされた状態で、第１装着位置と第１離脱位置との間を移動可能である。第１ドロワ５が第１装着位置に位置する場合、ドラムカートリッジ７は、画像形成装置１に装着される。第１ドロワ５が第１離脱位置に位置する場合、ドラムカートリッジ７は、第１ドロワ５から取り外し可能となる。
【００３８】
１．４  第２ドロワ６
第２ドロワ６は、現像カートリッジ９を支持する。第２ドロワ６は、第２装着位置（図１参照）と第２離脱位置（図２参照）との間を、第１方向に移動可能である。第２ドロワ６は、第２装着位置と第２離脱位置との間を、開口２Ａを通って移動する。第２ドロワ６が第２装着位置に位置する場合、第２ドロワ６の全部は、筐体２内に位置する。第２ドロワ６が第２装着位置に位置する場合、現像カートリッジ９は、画像形成装置１に装着される。第２ドロワ６は、第２装着位置に位置する状態で、第１方向において、第１装着位置に位置する第１ドロワ５と、閉位置に位置するカバー３との間に位置する。第２ドロワ６は、第２装着位置に位置する状態で、第１方向に見て、第１装着位置に位置する第１ドロワ５と重なる。また、第２ドロワ６は、第２装着位置に位置する状態で、第１方向に見て、閉位置に位置するカバー３とも重なる。第２ドロワ６が第２離脱位置に位置する場合、第２ドロワ６の少なくとも一部は、筐体２外に位置する。第２ドロワ６が第２離脱位置に位置する場合、現像カートリッジ９は、第２ドロワ６から取り外し可能となる。
【００３９】
１．５  ドラムカートリッジ７
ドラムカートリッジ７は、感光ドラム１４と、帯電ローラ１５とを備える。
【００４０】
感光ドラム１４は、軸方向に延びる軸Ａ１について回転可能である。軸方向は、第１方向および上下方向と交差する。好ましくは、軸方向は、第１方向および上下方向と直交する。感光ドラム１４は、軸方向に延びる。感光ドラム１４は、円筒形状を有する。
【００４１】
帯電ローラ１５は、感光ドラム１４の周面を帯電させる。帯電ローラ１５は、感光ドラム１４の周面に接触する。なお、ドラムカートリッジ７は、帯電ローラ１５の代わりに、スコロトロン型の帯電装置を備えてもよい。
【００４２】
１．６  露光装置８
露光装置８は、帯電ローラ１５によって帯電された感光ドラム１４の周面を露光する。これにより、感光ドラム１４の周面に、潜像が形成される。具体的には、露光装置８は、レーザースキャンユニットである。
【００４３】
１．７  現像カートリッジ９
現像カートリッジ９は、トナー収容器１６を備える。
【００４４】
トナー収容器１６は、感光ドラム１４に供給されるトナーを収容する。トナー収容器１６は、現像ローラ１７を備える。すなわち、現像カートリッジ９は、現像ローラ１７を備える。
【００４５】
現像ローラ１７は、ドラムカートリッジ７を支持する第１ドロワ５が第１装着位置に位置し、現像カートリッジ９を支持する第２ドロワ６が第２装着位置に位置した状態で、感光ドラム１４に接触する。現像ローラ１７は、ドラムカートリッジ７を支持する第１ドロワ５が第１装着位置に位置し、現像カートリッジ９を支持する第２ドロワ６が第２装着位置に位置した状態で、トナー収容器１６内のトナーを感光ドラム１４に供給可能である。これにより、感光ドラム１４に形成された潜像が現像され、感光ドラム１４の周面に、トナー像が形成される。
【００４６】
１．８  転写ローラ１０
転写ローラ１０は、ドラムカートリッジ７が第１ドロワ５に装着され、第１ドロワ５が第１装着位置に位置した状態で、感光ドラム１４と接触する。給紙カセット１８からのシートＳは、転写ローラ１０と感光ドラム１４との間を通る。このとき、転写ローラ１０は、感光ドラム１４の周面に形成されたトナー像を、シートＳに転写する。
【００４７】
１．９  定着装置１１
定着装置１１は、トナー像が転写されたシートＳを加熱および加圧して、感光ドラム１４からシートＳに転写されたトナー像を、シートＳに定着させる。定着装置１１を通過したシートＳは、筐体２の上面に排紙される。
【００４８】
２．第１ドロワ５の詳細
次に、図３および図４を参照して、第１ドロワ５の詳細について説明する。
【００４９】
図３に示すように、第１ドロワ５は、軸方向に延びる。第１ドロワ５は、２つの側板２１Ａ、２１Ｂと、底板２２とを備える。
【００５０】
２．１  側板２１Ａ、２１Ｂ
側板２１Ａは、軸方向における第１ドロワ５の一端部に位置する。側板２１Ａは、第１方向に延びる。図４に示すように、側板２１Ａは、切欠き２４と、凹部２５とを有する。つまり、第１ドロワ５は、切欠き２４と、凹部２５とを有する。
【００５１】
切欠き２４には、ドラムカートリッジ７が第１ドロワ５に装着された状態で、感光ドラム１４の端部が嵌まる。詳しくは、切欠き２４には、ドラムカートリッジ７が第１ドロワ５に装着された状態で、ドラムカップリング４２（図８参照）が嵌まる。ドラムカップリング４２については、後で説明する。
【００５２】
凹部２５には、第１ドロワ５が第１装着位置に位置し、第２ドロワ６が第２装着位置に位置した状態で、第２ドロワ６のロック部材３３Ａの爪３３２（図１２Ａ参照）が引っかかる。ロック部材３３Ａについては、後で説明する。
【００５３】
また、図３に示すように、側板２１Ａは、第１被ガイド部２６を備える。つまり、第１ドロワ５は、第１被ガイド部２６を備える。
【００５４】
第１被ガイド部２６は、本体ガイド１００（図２参照）にガイドされる。詳しくは、図２に示すように、画像形成装置１は、本体ガイド１００を備える。本体ガイド１００は、筐体２内に設けられる。本体ガイド１００は、第１方向に延びる。本体ガイド１００は、第１方向において、一端１００Ａと他端１００Ｂとを有する。他端１００Ｂは、第１方向において、一端１００Ａとカバー３との間に位置する。第１被ガイド部２６は、本体ガイド１００に嵌まる。図１に示すように、第１被ガイド部２６が本体ガイド１００の一端１００Ａと接触することにより、第１ドロワ５は、第１装着位置に位置する。第１装着位置に位置する第１ドロワ５に第２ドロワ６がロックされることにより、第２ドロワ６は、第２装着位置に位置する。第１ドロワ５が第１装着位置に位置し、第２ドロワ６が第２装着位置に位置した状態で、第２ドロワ６の第２被ガイド部３６と、閉位置に位置するカバー３との第１方向における距離は、第１ドロワ５の第１被ガイド部２６と、閉位置に位置するカバー３との第１方向における距離よりも短い。第１被ガイド部２６は、図３に示すように、軸方向に突出する。第１被ガイド部２６は、ボスである。第１被ガイド部２６は、円柱形状を有する。また、本体ガイド１００（図２参照）は、溝である。本体ガイド１００は、軸方向に凹む。
【００５５】
側板２１Ｂは、図３に示すように、軸方向における第１ドロワ５の他端部に位置する。側板２１Ｂは、軸方向において、側板２１Ａから離れて位置する。側板２１Ｂは、第１方向に延びる。側板２１Ｂは、側板２１Ａと同じく、切欠き２４と、凹部２５とを有し、第１被ガイド部２６を備える。
【００５６】
２．２  底板２２
底板２２は、図３に示すように、軸方向において、側板２１Ａと側板２１Ｂとの間に位置する。底板２２は、軸方向に延びる。軸方向における底板２２の一端は、側板２１Ａに接続する。軸方向における底板２２の他端は、側板２１Ｂに接続する。
【００５７】
３．第２ドロワ６の詳細
次に、図５から図７、図１２Ａおよび図１２Ｂを参照して、第２ドロワ６の詳細について説明する。
【００５８】
図５に示すように、第２ドロワ６は、軸方向に延びる。第２ドロワ６は、２つの側板３１Ａ、３１Ｂと、底板３２と、２つのロック部材３３Ａ、３３Ｂと、グリップ３４とを備える。つまり、画像形成装置１は、ロック部材３３Ａ、３３Ｂを備える。
【００５９】
３．１  側板３１Ａ、３１Ｂ
側板３１Ａは、軸方向における第２ドロワ６の一端部に位置する。側板３１Ａは、第１方向に延びる。図６に示すように、側板３１Ａは、凹部３５を有する。
【００６０】
凹部３５には、現像カートリッジが９が第２ドロワ６に支持された状態で、現像カートリッジ９の廃トナー収容器５１（図１参照）が嵌まる。これにより、現像カートリッジが９が第２ドロワ６に支持された状態で、廃トナー収容器５１は、第２ドロワ６に対して固定される。廃トナー収容器５１については、後で説明する。
【００６１】
また、図５に示すように、側板３１Ａは、第２被ガイド部３６を備える。つまり、第２ドロワ６は、第２被ガイド部３６を備える。
【００６２】
第２被ガイド部３６は、本体ガイド１００（図２参照）にガイドされる。つまり、本体ガイド１００は、第１ドロワ５の第１被ガイド部２６と第２ドロワ６の第２被ガイド部３６との両方をガイドする。詳しくは、図２に示すように、第２被ガイド部３６は、本体ガイド１００に嵌まる。第２被ガイド部３６が本体ガイド１００の他端１００Ｂと接触することにより、第２ドロワ６は、第２離脱位置に位置する。第１ドロワ５と第２ドロワ６とがロックされた状態で、第２ドロワ６が第２離脱位置に位置することにより、第１ドロワ５は、第１離脱位置に位置する。第２被ガイド部３６は、図５に示すように、軸方向に突出する。第２被ガイド部３６は、ボスである。第２被ガイド部３６は、円柱形状を有する。
【００６３】
側板３１Ｂは、図５に示すように、軸方向における第２ドロワ６の他端部に位置する。側板３１Ｂは、軸方向において、側板３１Ａから離れて位置する。側板３１Ｂは、第１方向に延びる。側板３１Ｂは、側板３１Ａと同じく、凹部３５とを有し、第２被ガイド部３６を備える。
【００６４】
３．２  底板３２
底板３２は、図５に示すように、軸方向において、側板３１Ａと側板３１Ｂとの間に位置する。底板３２は、軸方向に延びる。軸方向における底板３２の一端は、側板３１Ａに接続する。軸方向における底板３２の他端は、側板３１Ｂに接続する。
【００６５】
３．３  ロック部材３３Ａ、３３Ｂ
ロック部材３３Ａは、図５および図６に示すように、側板３１Ａに取り付けられる。ロック部材３３Ａは、ロック位置（図１２Ａ参照）とロック解除位置（図１２Ｂ参照）との間を移動可能である。ロック部材３３Ａがロック位置に位置する場合、ロック部材３３Ａは、第１ドロワ５と第２ドロワ６とをロックする。ロック部材３３Ａがロック解除位置に位置する場合、第１ドロワ５と第２ドロワ６とのロックが解除される。
【００６６】
詳しくは、図６に示すように、ロック部材３３Ａは、所定方向に延びる。この実施形態では、ロック部材３３Ａは、第１方向に延びる。ロック部材３３Ａは、ロック部材３３Ａが延びる方向において、第１端部Ｅ１と、第２端部Ｅ２とを有する。第２端部Ｅ２は、ロック部材３３Ａが延びる方向において、第１端部Ｅ１から離れて位置する。ロック部材３３Ａは、図１２Ａに示すように、シャフト３３１と、爪３３２とを有する。
【００６７】
シャフト３３１は、ロック部材３３Ａが延びる方向において、第１端部Ｅ１と第２端部Ｅ２との間に位置する。シャフト３３１は、ロック部材３３Ａが延びる方向と交差する方向に延びる。好ましくは、シャフト３３１は、ロック部材３３Ａが延びる方向と直交する方向に延びる。シャフト３３１は、側板３１Ａに回転可能に支持される。これにより、ロック部材３３Ａは、ロック位置とロック解除位置との間を、シャフト３３１について回動可能である。
【００６８】
爪３３２は、ロック部材３３Ａの第１端部Ｅ１に位置する。第１ドロワ５が第１装着位置に位置し、第２ドロワ６が第２装着位置に位置した状態（図１参照）で、爪３３２は、第１ドロワ５の凹部２５に引っかかる。これにより、図７に示すように、第１ドロワ５と第２ドロワ６とは、第１方向において離れないように、互いに固定される。つまり、第１ドロワ５が第１装着位置に位置し、第２ドロワ６が第２装着位置に位置した状態で、第１ドロワ５と第２ドロワ６とがロックされる。この状態で、第１ドロワ５は、第２ドロワ６とともに、第１装着位置（図１参照）と第１離脱位置（図２参照）との間を移動可能である。
【００６９】
なお、第２ドロワ６は、図１２Ａに示すように、バネ３７Ａを備える。バネ３７Ａは、ロック部材３３Ａの第２端部Ｅ２と側板３１Ａとの間に位置する。バネ３７Ａは、図１２Ｂに示すように、ロック解除位置に位置するロック部材３３Ａをロック位置に向かって押圧する。
【００７０】
ロック部材３３Ｂは、図５に示すように、側板３１Ｂに取り付けられる。ロック部材３３Ｂについての説明は、ロック部材３３Ａと同様であるため、省略する。
【００７１】
３．４  グリップ３４
グリップ３４は、第２ドロワ６を移動させるときに、ユーザーによって掴まれる。グリップ３４は、第１方向において、ロック部材３３Ａから離れて位置する。グリップ３４は、第１ドロワ５と第２ドロワ６とがロックされた状態で、第１方向において、ロック部材３３Ａに対して、第１ドロワ５の反対側に位置する。
【００７２】
４．ドラムカートリッジ７の詳細
次に、図８から図９Ｂを参照して、ドラムカートリッジ７の詳細について説明する。
【００７３】
ドラムカートリッジ７は、図８に示すように、軸方向に延びる。ドラムカートリッジ７は、上記した感光ドラム１４および帯電ローラ１５に加えて、２つの側板４１Ａ、４１Ｂと、ドラムカップリング４２と、ドラムクリーナー４３と、廃トナー搬送管４４と、グリップ４５とを備える。
【００７４】
４．１  側板４１Ａ、４１Ｂ
図８に示すように、側板４１Ａは、軸方向におけるドラムカートリッジ７の一端部に位置する。側板４１Ａは、第１方向に延びる。図９Ａに示すように、側板４１Ａは、ガイド４７を有する。つまり、ドラムカートリッジ７は、ガイド４７を有する。
【００７５】
ガイド４７は、ドラムカートリッジ７を支持した第１ドロワ５が第１離脱位置に位置し、第２ドロワ６が第２離脱位置に位置した状態（図２参照）で、現像カートリッジ９が第２ドロワ６に装着されるとき、現像ローラ１７を感光ドラム１４に向かってガイドする。ガイド４７は、グリップ４５の下方に位置する。ガイド４７は、感光ドラム１４に向かって延びる。この実施形態では、ガイド４７は、第１方向に延びる。ガイド４７は、具体的には、溝である。ガイド４７は、第１ガイド面４７Ａと、第２ガイド面４７Ｂとを有する。第１ガイド面４７Ａおよび第２ガイド面４７Ｂは、ガイド４７の内面である。第２ガイド面４７Ｂは、ガイド４７が延びる方向と交差する方向において、第１ガイド面４７Ａと間隔をあけて向かい合う。ガイド４７には、現像カートリッジ９が第２ドロワ６に装着されるとき、現像ローラ１７のシャフトの端部が嵌まる。詳しくは、現像ローラ１７のシャフトの端部は、ガイド４７に嵌まった状態で、第１ガイド面４７Ａと第２ガイド面４７Ｂとの間に位置する。つまり、ガイド４７は、現像ローラ１７のシャフトをガイドすることにより、現像ローラ１７を感光ドラム１４に向かってガイドする。また、ガイド４７は、第１ガイド面４７Ａと第２ガイド面４７Ｂとで現像ローラ１７のシャフトを挟むことにより、感光ドラム１４に対する現像ローラ１７の位置を決める。
【００７６】
側板４１Ｂは、図８に示すように、軸方向におけるドラムカートリッジ７の他端部に位置する。側板４１Ｂは、軸方向において、側板４１Ａから離れて位置する。側板４１Ｂは、第１方向に延びる。側板４１Ｂは、側板４１Ａと同じく、ガイド４７を有する。
【００７７】
４．２  ドラムカップリング４２
図８に示すように、ドラムカップリング４２は、軸方向における感光ドラム１４の一端部に取り付けられる。ドラムカップリング４２は、感光ドラム１４とともに回転可能である。ドラムカップリング４２は、側板４１Ａに回転可能に支持される。ドラムカップリング４２は、ドラムカートリッジ７が第１ドロワ５に装着された状態で、切欠き２４（図４参照）に嵌まる。ドラムカップリング４２には、ドラムカートリッジ７が第１ドロワ５に装着され、第１ドロワ５が第１装着位置に位置した状態で、筐体２内に設けられる本体カップリング（図示せず）が嵌まる。本体カップリングがドラムカップリング４２に嵌まった状態で、ドラムカップリング４２は、本体カップリングとともに回転可能である。これにより、ドラムカップリング４２は、本体カップリングから動力を受けて、感光ドラム１４を回転させる。
【００７８】
４．３  ドラムクリーナー４３
図９Ａに示すように、ドラムクリーナー４３は、ドラムカートリッジ７が第１ドロワ５に装着された状態で、感光ドラム１４の上に位置する。ドラムクリーナー４３は、クリーナーフレーム４３Ａと、クリーニング部材４３Ｂと、オーガスクリュー４３Ｃとを備える。
【００７９】
クリーナーフレーム４３Ａは、図８に示すように、軸方向において、側板４１Ａと側板４１Ｂとの間に位置する。クリーナーフレーム４３Ａは、軸方向に延びる。軸方向におけるクリーナーフレーム４３Ａの一端は、側板４１Ａに接続する。軸方向におけるクリーナーフレーム４３Ａの他端は、側板４１Ｂに接続する。クリーナーフレーム４３Ａは、図９Ａに示すように、開口４３Ｄを有する。開口４３Ｄは、クリーナーフレーム４３Ａの内部空間に通じる。
【００８０】
クリーニング部材４３Ｂは、クリーナーフレーム４３Ａに取り付けられる。クリーニング部材４３Ｂは、軸線方向に延び、板形状を有する。クリーニング部材４３Ｂのエッジは、開口４３Ｄ内に位置する。クリーニング部材４３Ｂのエッジは、感光ドラム１４の周面に接触する。これにより、感光ドラム１４が回転したときに、感光ドラム１４の周面に付着していたトナーは、クリーニング部材４３Ｂのエッジによって掻き取られ、開口４３Ｄを通ってクリーナーフレーム４３Ａ内に入る。これにより、ドラムクリーナー４３は、感光ドラム１４の周面をクリーニングする。ドラムクリーナー４３によって感光ドラム１４の周面から取り除かれたトナーを、廃トナーと定義する。
【００８１】
オーガスクリュー４３Ｃは、図８に示すように、クリーナーフレーム４３Ａ内に位置する。オーガスクリュー４３Ｃは、軸方向に延びる。オーガスクリュー４３Ｃは、クリーナーフレーム４３Ａ内に収容された廃トナーを、廃トナー搬送管４４に向かって搬送する。
【００８２】
４．４  廃トナー搬送管４４
廃トナー搬送管４４は、図８に示すように、側板４１Ｂに取り付けられる。廃トナー搬送管４４は、ドラムクリーナー４３から廃トナー収容器５１（図１参照）へ廃トナーを搬送するために用いられる。廃トナー搬送管４４の内部空間は、クリーナーフレーム４３Ａの内部空間と通じる。廃トナー搬送管４４は、図９Ｂに示すように、排出口４４Ａを有する。廃トナー搬送管４４は、シャッター４４Ｂと、バネ４４Ｃと、シャフトレス・スクリュー４４Ｄとを備える。
【００８３】
排出口４４Ａは、廃トナー搬送管４４の端部に位置する。排出口４４Ａは、廃トナー搬送管４４の内部空間と通じる。排出口４４Ａは、廃トナー搬送管４４内の廃トナーを排出可能である。
【００８４】
シャッター４４Ｂは、廃トナー搬送管４４の端部に位置する。シャッター４４Ｂは、閉位置（図９Ｂ参照）と開位置（図示せず）との間を移動可能である。シャッター４４Ｂが閉位置に位置する場合、シャッター４４Ｂは、排出口４４Ａを閉じる。シャッター４４Ｂが開位置に位置する場合、排出口４４Ａが開く。
【００８５】
バネ４４Ｃは、廃トナー搬送管４４の外周面に位置する。バネ４４Ｃは、開位置に位置するシャッター４４Ｂを閉位置に向かって押圧する。
【００８６】
シャフトレス・スクリュー４４Ｄは、廃トナー搬送管４４内に位置する。シャフトレス・スクリュー４４Ｄは、廃トナー搬送管４４に沿って延びる。シャフトレス・スクリュー４４Ｄは、一端がオーガスクリュー４３Ｃと連結され、オーガスクリュー４３Ｃと一体で回転することにより、廃トナー搬送管４４内のトナーを排出口４４Ａに向かって搬送する。
【００８７】
４．５  グリップ４５
グリップ４５は、図８に示すように、軸方向において、側板４１Ａと側板４１Ｂとの間に位置する。グリップ４５は、軸方向に延びる。軸方向におけるグリップ４５の一端は、側板４１Ａに接続する。軸方向におけるグリップ４５の他端は、側板４１Ｂに接続する。グリップ４５は、ユーザーがドラムカートリッジ７を第１ドロワ５から離脱するときに、ユーザーによって掴まれる。第１ドロワ５が第１離脱位置に配置されている状態で、ドラムカートリッジ７は、上方に向けて離脱可能である。また、図２に示すように、グリップ４５は、ドラムカートリッジ７を支持した第１ドロワ５と、現像カートリッジ９を支持した第２ドロワ６とがロックされた状態で、現像カートリッジ９の上方に位置する。詳しくは、グリップ４５は、ドラムカートリッジ７を支持した第１ドロワ５と、現像カートリッジ９を支持した第２ドロワ６とがロックされた状態で、現像カートリッジ９の一部の上方に位置する。なお、グリップ４５は、グリップ４５の下方に位置する現像カートリッジ９の一部とは異なる現像カートリッジ９の一部と第１方向において並んでもよい。
【００８８】
５．現像カートリッジ９の詳細
次に、図１０から図１４を参照して、現像カートリッジ９の詳細について説明する。
【００８９】
図１０に示すように、現像カートリッジ９は、上記したトナー収容器１６に加えて、廃トナー収容器５１と、ロック解除部材５２とを備える。すなわち、画像形成装置１は、ロック解除部材５２を備える。
【００９０】
５．１  廃トナー収容器５１
図１０に示すように、廃トナー収容器５１は、トナー収容器１６の上面に取り付けられる。廃トナー収容器５１は、トナー収容器１６に対して揺動可能である。図１１に示すように、廃トナー収容器５１は、軸方向に延びる。廃トナー収容器５１は、ボックス形状を有する。廃トナー収容器５１は、接続部５１Ａと、シャッター５１Ｂと、バネ５１Ｃとを備える。
【００９１】
接続部５１Ａには、ドラムカートリッジ７を支持した第１ドロワ５と、現像カートリッジ９を支持した第２ドロワ６とがロックされた状態で、ドラムカートリッジ７の廃トナー搬送管４４（図８参照）が、接続される。つまり、ドラムカートリッジ７を支持した第１ドロワ５と、現像カートリッジ９を支持した第２ドロワ６とがロックされた状態で、ドラムカートリッジ７の廃トナー搬送管４４が、廃トナー収容器５１に接続される。接続部５１Ａは、廃トナー収容器５１内に位置する。接続部５１Ａは、第１方向に延びる。接続部５１Ａは、筒形状を有する。接続部５１Ａは、受入口５１Ｄを有する、受入口５１Ｄは、廃トナー収容器５１の内部空間に通じる。受入口５１Ｄは、廃トナー搬送管４４が接続部５１Ａに接続された状態で、廃トナー搬送管４４の排出口４４Ａ（図９Ｂ参照）と通じる。これにより、廃トナー搬送管４４が接続部５１Ａに接続された状態で、廃トナー搬送管４４を通って搬送された廃トナーは、排出口４４Ａおよび受入口５１Ｄを通って、廃トナー収容器５１内に入る。廃トナー収容器５１は、廃トナーを収容する。
【００９２】
シャッター５１Ｂは、接続部５１Ａ内に位置する。シャッター５１Ｂは、閉位置（図１１参照）と開位置（図示せず）との間を移動可能である。シャッター５１Ｂが閉位置に位置した場合、シャッター５１Ｂは、受入口５１Ｄを閉じる。シャッター５１Ｂが開位置に位置した場合、受入口５１Ｄは、開く。
【００９３】
バネ５１Ｃは、接続部５１Ａ内に位置する。バネ５１Ｃは、開位置に位置するシャッター５１Ｂを閉位置に向かって押圧する。
【００９４】
５．２  ロック解除部材５２
ロック解除部材５２は、図１１に示すように、廃トナー収容器５１に取り付けられる。ロック解除部材５２は、固定位置（図１０参照）と固定解除位置（図１４参照）との間を回動可能である。
【００９５】
図１０に示すように、ロック解除部材５２が固定位置に位置した状態で、ロック解除部材５２は、廃トナー収容器５１に対して回動しないように固定される。ロック解除部材５２が固定位置に位置した状態で、ロック解除部材５２は、第１方向に延びる。ロック解除部材５２が固定位置に位置した状態で、現像カートリッジ９が第２ドロワ６に装着された場合、ロック解除部材５２のカム５５（図１２Ａ参照）は、ロック部材３３Ａに接触する。
【００９６】
一方、図１４に示すように、ロック解除部材５２が固定解除位置に位置した状態で、ロック解除部材５２は、廃トナー収容器５１に対して固定されていない。つまり、ロック解除部材５２が固定解除位置に位置した状態で、ロック解除部材５２は、廃トナー収容器５１に対して回動可能である。ロック解除部材５２が固定解除位置に位置した状態で、ロック解除部材５２は、廃トナー収容器５１から上方に延びる。言い換えると、ロック解除部材５２が固定解除位置に位置した状態で、ロック解除部材５２は、第１方向と交差する方向に延びる。ロック解除部材５２が固定解除位置に位置した状態で、現像カートリッジ９が第２ドロワ６に装着された場合、ロック解除部材５２のカム５５は、ロック部材３３Ａに接触しない。
【００９７】
ロック解除部材５２は、図１１に示すように、２つのアーム５３Ａ、５３Ｂと、グリップ５４とを有する。
【００９８】
５．２．１  アーム５３Ａ、５３Ｂ
アーム５３Ａは、ロック解除部材５２が固定位置に位置した状態で、第１方向に延びる。アーム５３Ａは、一端部Ｅ１１と他端部Ｅ１２とを有する。一端部Ｅ１１は、軸方向における廃トナー収容器５１の一方の側面Ｓ１に回動可能に取り付けられる。他端部Ｅ１２は、一端部Ｅ１１から離れて位置する。アーム５３Ａは、図１２Ａに示すように、カム５５と、突起５６と、カム５７と、２つのワイヤー５８Ａ、５８Ｂとを有する。つまり、ロック解除部材５２は、カム５５を有する。
【００９９】
カム５５は、アーム５３Ａの一端部Ｅ１１に位置する。カム５５は、第１位置（図１２Ａ参照）と第２位置（図１２Ｂ参照）との間で移動可能である。詳しくは、第１位置と第２位置との間で回動可能である。カム５５が第１位置に位置する場合、カム５５は、ロック部材３３Ａを押圧しない。これにより、カム５５が第１位置に位置する場合、カム５５は、ロック部材３３Ａがロック位置に位置することを許容する。そして、カム５５は、第１位置から第２位置へ移動するときに、ロック位置に位置するロック部材３３Ａをロック解除位置に向けて押圧する。カム５５が第２位置に位置する場合、カム５５は、ロック部材３３Ａをロック解除位置に位置させる。これにより、ロック解除部材５２は、ロック位置に位置するロック部材３３Ａをロック解除位置に移動させる。
【０１００】
突起５６は、アーム５３Ａが延びる方向において、一端部Ｅ１１と他端部Ｅ１２との間に位置する。言い換えると、突起５６は、アーム５３Ａの回動軸から離れて位置する。突起５６は、ロック解除部材５２が固定位置に位置した状態で、廃トナー収容器５１の凹部５１Ｅに嵌まる。凹部５１Ｅは、軸方向における廃トナー収容器５１の一方の側面Ｓ１に位置する。突起５６が凹部５１Ｅに嵌まることにより、ロック解除部材５２は、廃トナー収容器５１に対して回動しないように固定される。突起５６は、凹部５１Ｅに嵌まる位置（図１２Ａ参照）と、凹部５１Ｅから外れる位置（図１２Ｂ参照）との間を、軸方向に移動可能である。突起５６が凹部５１Ｅから外れることにより、ロック解除部材５２は、廃トナー収容器５１に対して回動可能になる。突起５６は、軸方向に延びる。突起５６は、円柱形状を有する。突起５６は、バネ５９により、凹部５１Ｅから外れる位置から、凹部５１Ｅに嵌まる位置に向かって押圧される。
【０１０１】
カム５７は、アーム５３Ａが延びる方向において、一端部Ｅ１１と他端部Ｅ１２との間に位置する。カム５７は、押圧位置（図１２Ｂ参照）と、押圧解除位置（図１２Ａ参照）との間を、アーム５３Ａが延びる方向に移動可能である。カム５７が押圧位置に位置した状態で、カム５７は、突起５６を押圧して、突起５６を、凹部５１Ｅから外れる位置に位置させる。また、カム５７が押圧解除位置に位置した状態で、カム５７は、突起５６に対する押圧を解除して、突起５６が凹部５１Ｅに嵌まることを許容する。
【０１０２】
ワイヤー５８Ａは、グリップ５４の操作部５４Ｂと、カム５７とを接続する。操作部５４Ｂについては、後で説明する。また、ワイヤー５８Ｂは、カム５７とカム５５とを接続する。ワイヤー５８Ａが操作部５４Ｂとカム５７とを接続し、ワイヤー５８Ｂがカム５７とカム５５とを接続することにより、操作部５４Ｂの移動に連動して、カム５７とカム５５とが移動する。詳しくは、図１２Ａに示すように、カム５７が押圧解除位置に位置した状態で、カム５５は、第１位置に位置する。これにより、カム５５が第１位置に位置した状態で、突起５６が凹部５１Ｅに嵌まる。つまり、ロック解除部材５２は、カム５５が第１位置に位置した状態で、現像カートリッジ９に対して固定される。また、図１２Ｂに示すように、カム５７が押圧位置に位置した状態で、カム５５は、第２位置に位置する。これにより、カム５５が第２位置に位置した状態で、突起５６が凹部５１Ｅから外れる。つまり、ロック解除部材５２は、カム５５が第２位置に位置した状態で、現像カートリッジ９に対して回動可能となる。
【０１０３】
アーム５３Ｂは、図１１に示すように、軸方向において、アーム５３Ａから離れて位置する。アーム５３Ｂの一端部Ｅ１１は、軸方向における廃トナー収容器５１の他方の側面Ｓ２に回動可能に取り付けられる。アーム５３Ｂは、アーム５３Ａと同じく、カム５５と、突起５６と、カム５７と、２つのワイヤー５８Ａ、５８Ｂとを有する。
【０１０４】
５．２．２  グリップ５４
グリップ５４は、図２に示すように、グリップ３４から離れて位置する。言い換えると、ロック解除部材５２は、グリップ３４から離れて位置する。グリップ５４は、ユーザーが現像カートリッジ９を第２ドロワ６から離脱するときに、ユーザーによって掴まれる。グリップ５４は、図１１に示すように、バー５４Ａと、操作部５４Ｂとを有する。
【０１０５】
バー５４Ａは、軸方向において、アーム５３Ａの他端部Ｅ１２と、アーム５３Ｂの他端部Ｅ１２との間に位置する。バー５４Ａは、軸方向に延びる。軸方向におけるバー５４Ａの一端は、アーム５３Ａの他端部Ｅ１２に接続される。軸方向におけるバー５４Ａの他端は、アーム５３Ｂの他端部Ｅ１２に接続される。バー５４Ａは、アーム５３Ａおよびアーム５３Ｂに対して固定されている。
【０１０６】
操作部５４Ｂは、アーム５３Ａが延びる方向において、バー５４Ａと並ぶ。操作部５４Ｂは、軸方向において、アーム５３Ａの他端部Ｅ１２と、アーム５３Ｂの他端部Ｅ１２との間に位置する。操作部５４Ｂは、軸方向に延びる。軸方向における操作部５４Ｂの一端は、アーム５３Ａの他端部Ｅ１２に、アーム５３Ａが延びる方向に移動可能に支持される。軸方向における操作部５４Ｂの他端は、アーム５３Ｂの他端部Ｅ１２に、アーム５３Ａが延びる方向に移動可能に支持される。これにより、操作部５４Ｂは、アーム５３Ａが延びる方向において、バー５４Ａから離れて位置する離間位置（図１２Ａ参照）と、離間位置よりもバー５４Ａに近い近接位置（図１２Ｂ参照）との間を移動可能である。軸方向における操作部５４Ｂの一端には、アーム５３Ａのワイヤー５８Ａが接続される。また、軸方向における操作部５４Ｂの他端には、アーム５３Ｂのワイヤー５８Ａが接続される。これにより、操作部５４Ｂの移動に連動して、アーム５３Ａのカム５７およびカム５５、および、アーム５３Ｂのカム５７およびカム５５が移動する。つまり、操作部５４Ｂは、カム５５を第１位置と第２位置との間で移動させる操作に用いられる。操作部５４Ｂが離間位置に位置した状態で、アーム５３Ａのカム５７およびアーム５３Ｂのカム５７は、押圧解除位置に位置し、アーム５３Ａのカム５５およびアーム５３Ｂのカム５５は、第１位置に位置する。また、操作部５４Ｂが近接位置に位置した状態で、アーム５３Ａのカム５７およびアーム５３Ｂのカム５７は、押圧位置に位置し、アーム５３Ａのカム５５およびアーム５３Ｂのカム５５は、第２位置に位置する。
【０１０７】
６．現像カートリッジ９およびドラムカートリッジ７の交換作業
次に、図１、図２、図１２Ｂ、図１３、図１４を参照して、現像カートリッジ９およびドラムカートリッジ７の交換作業について説明する。
【０１０８】
ユーザーは、ドラムカートリッジ７を交換しないで、現像カートリッジ９を交換する場合、図１に示すように、ドラムカートリッジ７を支持した第１ドロワ５が第１装着位置に位置し、現像カートリッジ９を支持した第２ドロワ６が第２装着位置に位置する状態で、カバー３を閉位置から開位置へ移動させた後、グリップ５４を掴んで、操作部５４Ｂを離間位置から近接位置に移動させる。
【０１０９】
すると、図１２Ｂに示すように、ロック部材３３Ａおよびロック部材３３Ｂが、ロック解除位置に位置し、第１ドロワ５と第２ドロワ６とのロックが解除される。
【０１１０】
次に、ユーザーは、図１３に示すように、操作部５４Ｂを近接位置に位置させた状態で、グリップ５４を引っ張って、現像カートリッジ９を支持した第２ドロワ６を筐体２から引き出す。
【０１１１】
そして、現像カートリッジ９を支持した第２ドロワ６が第２離脱位置に位置した状態で、ユーザーは、図１４に示すように、ロック解除部材５２を回動させて、現像カートリッジ９を第２ドロワ６から離脱させる。
【０１１２】
これにより、ユーザーは、ドラムカートリッジ７を交換しないで、現像カートリッジ９を交換することができる。
【０１１３】
なお、ユーザーは、図２に示すように、ドラムカートリッジ７および現像カートリッジ９の両方を交換する場合、グリップ５４を掴まずに、グリップ３４を掴んで、第２ドロワ６を筐体２から引き出す。
【０１１４】
すると、第１ドロワ５と第２ドロワ６とがロックされていることにより、第１ドロワ５は、第２ドロワ６とともに開口２Ａの近くまで引き出される。第１ドロワ５は、第２ドロワ６が第２離脱位置に位置した状態で、第１離脱位置に位置する。
【０１１５】
その後、ユーザーは、まず、現像カートリッジ９を第２ドロワ６から離脱させて、その後、ドラムカートリッジ７を第１ドロワ５から離脱させる。
【０１１６】
これにより、ユーザーは、ドラムカートリッジ７および現像カートリッジ９の両方を交換することもできる。
【０１１７】
７．作用効果
（１）画像形成装置１によれば、ユーザーは、図１３に示すように、ロック部材３３Ａ、３３Ｂをロック解除位置に位置させて、第１ドロワ５と第２ドロワ６とのロックを解除することにより、第２ドロワ６を、第１ドロワ５から分離して、第２離脱位置に位置させることができる。
【０１１８】
これにより、ドラムカートリッジ７を交換しないで、現像カートリッジ９を交換することができる。つまり、ドラムカートリッジ７と現像カートリッジ９とを個別に交換できる。
【０１１９】
また、現像カートリッジ９が大容量化された場合でも、ユーザーは、現像カートリッジ９を第２ドロワ６から持ち上げるだけで交換することができる。そのため、現像カートリッジ９を交換する際、第１装着位置に位置する第１ドロワ５に支持されたドラムカートリッジ７が、現像カートリッジ９の交換作業の邪魔にならない。
【０１２０】
また、ユーザーは、図２に示すように、ロック部材３３Ａ、３３Ｂをロック位置に位置させて、第１ドロワ５と第２ドロワ６とをロックすることにより、第２ドロワ６を第２離脱位置に位置させるとともに、第１ドロワ５を第１離脱位置に位置させることができる。
【０１２１】
これにより、ドラムカートリッジ７および現像カートリッジ９の両方を交換することもできる。
【０１２２】
（２）また、ロック解除部材５２は、図１２Ａに示すように、カム５５と、グリップ５４とを有する。グリップ５４には、操作部５４Ｂが設けられている。ユーザーが操作部５４Ｂを離間位置（図１２Ａ参照）から近接位置（図１２Ｂ参照）に移動させることにより、カム５５は、ロック部材３３Ａをロック解除位置に位置させる。
【０１２３】
そのため、ユーザーがドラムカートリッジ７を交換しないで現像カートリッジ９を交換する場合、ユーザーは、グリップ５４を掴んで引っ張るという一連の動作で、第１ドロワ５と第２ドロワ６とのロックを解除して、現像カートリッジ９を支持した第２ドロワ６を筐体２から引き出すことができる。
【０１２４】
これにより、ユーザーがドラムカートリッジ７を交換しないで現像カートリッジ９を交換する場合の操作性を、向上させることができる。
【０１２５】
（３）また、画像形成装置１によれば、図２に示すように、第２ドロワ６は、ロック解除部材５２から離れた位置において、グリップ３４を有する。
【０１２６】
これにより、ユーザーは、ロック解除部材５２を操作しない場合、すなわち、ドラムカートリッジ７および現像カートリッジ９の両方を交換する場合に、ロック解除部材５２のグリップ５４を掴まずに、グリップ３４を掴んで、第２ドロワ６を引き出すことができる。
【０１２７】
そのため、ドラムカートリッジ７および現像カートリッジ９の両方を交換する場合に、ユーザーが第１ドロワ５と第２ドロワ６とのロックを誤って解除してしまうことを、防止できる。
【０１２８】
（４）また、画像形成装置１によれば、図１に示すように、現像カートリッジ９は、廃トナー収容器５１を備えている。廃トナー収容器５１には、ドラムカートリッジ７を支持した第１ドロワ５と、現像カートリッジ９を支持した第２ドロワ６とがロックされた状態で、ドラムカートリッジ７の廃トナー搬送管４４（図９Ｂ参照）が接続される。
【０１２９】
これにより、ドラムクリーナー４３（図９Ｂ参照）によって感光ドラム１４の周面から取り除かれた廃トナーを、廃トナー搬送管４４により廃トナー収容器５１に収容することができる。
【０１３０】
そして、図１４に示すように、廃トナーを収容した廃トナー収容器５１を、現像カートリッジ９とともに交換することができる。
【０１３１】
また、現像カートリッジ９を支持した第２ドロワ６を引き出すことにより、廃トナーを収容した廃トナー収容器５１を、現像カートリッジ９とともに引き出して、廃トナー搬送管４４を廃トナー収容器５１との連結を解除することができる。そのため、現像カートリッジ９を第２ドロワ６から持ち上げる際に、廃トナー搬送管４４が邪魔になることがない。
【０１３２】
（５）また、画像形成装置１によれば、図１３に示すように、第２ドロワ６を第１ドロワ５から分離して、第２離脱位置に位置させることにより、現像ローラ１７のシャフトがガイド４７から離脱された状態となる。したがって、現像カートリッジ９を離脱させる際に、ガイド４７が邪魔になることがない。
【０１３３】
８．変形例
次に、図１５から図１６Ｂを参照して、変形例について説明する。
【０１３４】
８．１  第１ドロワ５
図１５および図１６Ａに示すように、第１ドロワ５は、２つのロック部材２００Ａ、２００Ｂを備える。
【０１３５】
ロック部材２００Ａは、第１ドロワ５の側板２１Ａに取り付けられる。ロック部材２００Ａは、上記したロック部材３３Ａと同じ構造を有する。すなわち、ロック部材２００Ａは、ロック部材３３Ａと同様に、第１方向に延び、シャフト３３１と、爪３３２とを有する。ロック部材３３Ａは、ロック位置（図１６Ａ参照）とロック解除位置（図１６Ｂ参照）との間を、シャフト３３１について回動可能である。
【０１３６】
第１ドロワ５が第１装着位置に位置し、第２ドロワ６が第２装着位置に位置し、ロック部材２００Ａがロック位置に位置した状態で、爪３３２は、第２ドロワ６の穴２０２に引っかかる。これにより、ロック部材２００Ａは、第１ドロワ５と第２ドロワ６とをロックする。
【０１３７】
一方、ロック部材２００Ａがロック解除位置に位置した状態で、爪３３２は、第２ドロワ６の穴２０２から外れる。これにより、第１ドロワ５と第２ドロワ６とのロックが解除される。
【０１３８】
ロック部材２００Ｂは、図１５に示すように、第１ドロワ５の側板２１Ｂに取り付けられる。ロック部材２００Ｂについての説明は、ロック部材２００Ａと同様であるため、省略する。
【０１３９】
８．２  第２ドロワ６
図１６Ａに示すように、第２ドロワ６の側板３１Ａは、穴２０２を有する。側板３１Ａの穴２０２は、側板３１Ａの内部空間に通じる。なお、側板３１Ｂも同様に、側板３１Ｂの内部空間に通じる穴２０２を有する。また、第２ドロワ６は、図１５および図１６Ａに示すように、ロック解除部材２０１を備える。
【０１４０】
ロック解除部材２０１は、２つの押圧部材２０４Ａ、２０４Ｂと、２つのアーム２０３Ａ、２０３Ｂと、操作部２０５とを有する。
【０１４１】
図１６Ａに示すように、押圧部材２０４Ａは、側板３１Ａの内部空間内に位置する。押圧部材２０４Ａは、軸方向に延びる。押圧部材２０４Ａは、押圧解除位置（図１６Ａ参照）と押圧位置（図１６Ｂ参照）との間を、軸方向に移動可能である。押圧部材２０４Ａが押圧解除位置に位置する場合、押圧部材２０４Ａは、ロック位置に位置するロック部材２００Ａを押圧しない。押圧部材２０４Ａが押圧解除位置に位置する場合、押圧部材２０４Ａは、穴２０２から抜けてもよい。一方、押圧部材２０４Ａが押圧位置に位置する場合、押圧部材２０４Ａは、穴２０２に挿入される。押圧部材２０４Ａが押圧位置に位置する場合、押圧部材２０４Ａは、ロック部材３３Ａを、ロック解除位置に位置させる。詳しくは、押圧部材２０４Ａが押圧解除位置から押圧位置に移動するときに、押圧部材２０４Ａは、ロック位置に位置するロック部材２００Ａの爪３３２を押圧する。すると、ロック部材２００Ａの爪が穴２０２から外れて、ロック部材３３Ａは、ロック解除位置に位置する。
【０１４２】
押圧部材２０４Ｂは、側板３１Ｂの内部空間内に位置する。押圧部材２０４Ｂは、押圧部材２０４Ａと同様に、ロック部材２００Ｂ（図１５参照）を、ロック解除位置に位置させる。
【０１４３】
アーム２０３Ａは、側板３１Ａの内部空間内に位置する。アーム２０３Ａは、第１方向に延びる。アーム２０３Ａは、第１方向において、一端部Ｅ２１と他端部Ｅ２２とを有する。他端部Ｅ２２は、第１方向において、一端部Ｅ２１から離れて位置する。アーム２０３Ａは、第１方向に移動可能である。アーム２０３Ａは、カム２０６を有する。つまり、ロック解除部材２０１は、カム２０６を有する。
【０１４４】
カム２０６は、アーム２０３Ａの一端部Ｅ２１に位置する。カム２０６は、アーム２０３Ａの一端部Ｅ２１から突出する。カム２０６は、アーム２０３Ａとともに、第１位置（図１６Ａ参照）と第２位置（図１６Ｂ参照）との間で移動可能である。カム２０６が第１位置に位置する場合、カム２０６は、押圧部材２０４Ａを押圧しない。これにより、カム２０６が第１位置に位置する場合、カム２０６は、押圧部材２０４Ａが押圧解除位置に位置することを許容するとともに、ロック部材２００Ａがロック位置に位置することを許容する。そして、カム２０６は、第１位置から第２位置へ移動するときに、押圧解除位置に位置する押圧部材２０４Ａを押圧位置に向けて押圧する。カム２０６が第２位置に位置する場合、カム２０６は、押圧部材２０４Ａを押圧位置に位置させることにより、ロック部材２００Ａをロック解除位置に位置させる。これにより、ロック解除部材２０１は、ロック位置に位置するロック部材２００Ａをロック解除位置に移動させる。
【０１４５】
アーム２０３Ｂは、図１５に示すように、軸方向において、アーム２０３Ａから離れて位置する。アーム２０３Ｂは、アーム２０３Ａと同じく、カム２０６を有する。
【０１４６】
操作部２０５は、アーム２０３Ａが延びる方向において、グリップ３４と並ぶ。操作部２０５は、軸方向において、アーム２０３Ａの他端部Ｅ２２と、アーム２０３Ｂの他端部Ｅ２２との間に位置する。操作部２０５は、アーム２０３Ａが延びる方向において、グリップ３４から離れて位置する離間位置（図１６Ａ参照）と、離間位置よりもグリップ３４に近い近接位置（図１６Ｂ参照）との間を移動可能である。操作部２０５は、軸方向に延びる。軸方向における操作部２０５の一端は、アーム２０３Ａの他端部Ｅ２２に接続する。軸方向における操作部２０５の他端は、アーム２０３Ｂの他端部Ｅ２２に接続する。これにより、操作部２０５の移動に連動して、アーム２０３Ａのカム２０６、および、アーム２０３Ｂのカム２０６が移動する。つまり、操作部２０５は、カム２０６を第１位置と第２位置との間で移動させる操作に用いられる。操作部２０５が離間位置に位置した状態で、アーム２０３Ａのカム２０６は、第１位置に位置し、押圧部材２０４Ａは、押圧解除位置に位置する。また、操作部２０５が近接位置に位置した状態で、アーム２０３Ａのカム２０６は、第２位置に位置し、押圧部材２０４Ａは、押圧位置に位置する。
【０１４７】
変形例においても、上記した実施形態と同様の作用効果を得ることができる。
【符号の説明】
【０１４８】
１        画像形成装置
２        筐体
２Ａ      開口
３        カバー
５        第１ドロワ
６        第２ドロワ
７        ドラムカートリッジ
９        現像カートリッジ
１４      感光ドラム
１６      トナー収容器
１７      現像ローラ
２４      切欠き
２６      第１被ガイド部
３３Ａ    ロック部材
３３Ｂ    ロック部材
３４      グリップ
３６      第２被ガイド部
４３      ドラムクリーナー
４４      廃トナー搬送管
４５      グリップ
４７      ガイド
５１      廃トナー収容器
５２      ロック解除部材
５４      グリップ
５４Ｂ    操作部
５５      カム
１００    本体ガイド
Ａ１      軸
【図１】
2020046644.tif 000003
【図２】
2020046644.tif 000004
【図３】
2020046644.tif 000005
【図４】
2020046644.tif 000006
【図５】
2020046644.tif 000007
【図６】
2020046644.tif 000008
【図７】
2020046644.tif 000009
【図８】
2020046644.tif 000010
【図９】
2020046644.tif 000011
【図１０】
2020046644.tif 000012
【図１１】
2020046644.tif 000013
【図１２】
2020046644.tif 000014
【図１３】
2020046644.tif 000015
【図１４】
2020046644.tif 000016
【図１５】
2020046644.tif 000017
【図１６】
2020046644.tif 000018